(57)【要約】【課題】建物開口部に合わせて縦及び横の寸法調整が可能であると共に該建物開口部に着脱自在に取り付けることができる寸法調整可能な防虫網戸を得る。【解決手段】防虫網戸１は、防虫網２と、該防虫網２を張設する矩形の網戸枠３と、防虫網２が張設された該網戸枠３を建物開口部５０に取り付けるための矩形の取付枠４とで形成され、前記網戸枠３は、左右の縦網戸枠材１４及び上下の横網戸枠材１５と４つの網戸枠コーナー材２６Ａ，２６Ｂとを接着することにより形成され、前記取付枠４は、左右の縦取付枠材８及び上下の横取付枠材９と、４つの取付枠コーナー材１０とを、伸縮自在に連結することにより形成され、該取付枠４と前記網戸枠３とは、面ファスナー又は永久磁石からなる取付部材５によって着脱自在である。【選択図】図５
2012162964.tif 000002
【特許請求の範囲】
【請求項１】
防虫網と、該防虫網を張設する矩形の網戸枠と、防虫網が張設された該網戸枠を建物開口部に取り付けるための矩形の取付枠とからなり、
前記取付枠は、左右の縦取付枠材及び上下の横取付枠材と、該取付枠のコーナーにおいて前記縦取付枠材と横取付枠材とを連結する４つの取付枠コーナー材とで形成され、該取付枠コーナー材と前記縦取付枠材及び横取付枠材とを相互に伸縮自在とすることにより、該取付枠の縦、横の寸法が前記建物開口部の縦、横の寸法に合わせて調整可能であり、
前記網戸枠は、左右の縦網戸枠材及び上下の横網戸枠材と、該網戸枠のコーナーにおいて前記縦網戸枠材と横網戸枠材とを連結する４つの網戸枠コーナー材とで形成され、接着−分離自在の取付部材を介して前記取付枠に対して着脱自在である、
ことを特徴とする寸法調整可能な防虫網戸。
【請求項２】
前記取付枠の左右の縦取付枠材と上下の横取付枠材とは、長さ方向の少なくとも両端部が中空をなし、また、前記４つの取付枠コーナー材は、前記縦取付枠材及び横取付枠材の端部間に介在する主体部と、該主体部の側面から９０度異なる方向に延出する２つの延出部とを有し、該２つの延出部の一方と他方が前記縦取付枠材及び横取付枠材の一方と他方の中空部内にそれぞれ摺動自在に嵌合していることを特徴とする請求項１に記載の防虫網戸。
【請求項３】
前記取付枠の左右の縦取付枠材と上下の横取付枠材とは、全長にわたって均一な断面形状を有する合成樹脂製の中空材により形成され、左右の縦取付枠材同士及び上下の横取付枠材同士が互換性を有し、また、前記４つの取付枠コーナー材は、互いに同一形状をなして相互に互換性を有することを特徴とする請求項２に記載の防虫網戸。
【請求項４】
前記網戸枠の左右の縦網戸枠材と上下の横網戸枠材とは、全長にわたって均一な断面形状を有する合成樹脂製の薄板材により形成され、左右の縦網戸枠材同士及び上下の横網戸枠材同士が互換性を有し、また、前記４つの網戸枠コーナー材は、防虫網の前面側に位置する第１コーナー部材と後面側に位置する第２コーナー部材とからなっていて、該第１コーナー部材と第２コーナー部材とで前記防虫網が両側から挟持されていることを特徴とする請求項１から３の何れかに記載の防虫網戸。
【請求項５】
前記取付部材は、面ファスナー又は永久磁石からなっていて、相互に接着−分離自在の第１部材及び第２部材を有し、該第１部材及び第２部材のうちの一方が前記網戸枠に装着され、他方が前記取付枠に装着されていることを特徴とする請求項１から４の何れかに記載の防虫網戸。
【請求項６】
所要の形状及び寸法に切断可能な防虫網、
前記防虫網を張設する矩形の網戸枠を形成するための部品であって、所要の長さに切断可能な合成樹脂製の左右の縦網戸枠材及び上下の横網戸枠材と、網戸枠のコーナーにおいて前記縦網戸枠材と横網戸枠材とを連結する４つの網戸枠コーナー材、
防虫網が張設された前記網戸枠を建物開口部に取り付けるための矩形の取付枠を形成する部品であって、所要の長さに切断可能な合成樹脂製の左右の縦取付枠材及び上下の横取付枠材と、取付枠のコーナーにおいて前記縦取付枠材と横取付枠材とを伸縮自在に連結する４つの取付枠コーナー材、
相互に接着−分離自在の第１部材及び第２部材からなり、該第１部材及び第２部材の一方と他方とを前記網戸枠の縦網戸枠材及び横網戸枠材と前記取付枠の縦取付枠材及び横取付枠材とにそれぞれ装着することにより、前記網戸枠を前記取付枠に対して着脱自在とする取付部材、
を有することを特徴とする防虫網戸用キット。
【請求項７】
前記取付枠の左右の縦取付枠材と上下の横取付枠材とは、長さ方向の少なくとも両端部が中空をなし、また、前記４つの取付枠コーナー材は、前記縦取付枠材及び横取付枠材の端部間に介在する主体部と、該主体部の側面から９０度異なる方向に延出する２つの延出部とを有していて、該２つの延出部が前記縦取付枠材及び横取付枠材の中空部内に摺動自在に嵌合することにより該縦取付枠材及び横取付枠材を伸縮自在に連結することを特徴とする請求項６に記載の防虫網戸用キット。
【請求項８】
前記取付枠の左右の縦取付枠材と上下の横取付枠材とは、全長にわたって均一な断面形状を有する合成樹脂製の中空材により形成され、左右の縦取付枠材同士及び上下の横取付枠材同士が互換性を有し、また、前記４つの取付枠コーナー材は、互いに同一形状をなして相互に互換性を有することを特徴とする請求項７に記載の防虫網戸用キット。
【請求項９】
前記網戸枠の左右の縦網戸枠材と上下の横網戸枠材とは、全長にわたって均一な断面形状を有する合成樹脂製の薄板材により形成され、左右の縦網戸枠材同士及び上下の横網戸枠材同士が互換性を有し、また、前記４つの網戸枠コーナー材は、防虫網の前面側に位置する第１コーナー部材と後面側に位置する第２コーナー部材とからなっていて、該第１コーナー部材と第２コーナー部材との間に前記防虫網を挟持することを特徴とする請求項６から８の何れかに記載の防虫網戸用キット。
【発明の詳細な説明】
【技術分野】
【０００１】
本発明は、窓等の建物開口部に合わせて縦及び横の寸法調整が可能な防虫網戸に関するものである。
【背景技術】
【０００２】
窓等の建物開口部に取り付けて使用する防虫網戸は、一般に、アルミニウム等の金属製の網戸枠に防虫網を張設することにより形成され、螺子や金具等の適宜取付手段で建物開口部に取り付けられる。このような防虫網戸は、通常、建物開口部の寸法に合わせて規格化されており、規格に合った様々な寸法の網戸が販売されている。
【０００３】
したがって、建物開口部の寸法が規格に合ったものである場合には、それに合った防虫網戸を購入して取り付けることができるが、建物開口部の寸法が規格に合っていない場合には、それに合った防虫網戸を購入することができず、規格外の防虫網戸を特別に注文しなければならないため、価格が高くなるという問題があった。
【０００４】
使用者が建物開口部に合った防虫網戸を自分で組み立てて取り付けることも不可能ではないが、その場合には、その建物開口部に使用可能な枠材や防虫網等を個々に選択して購入し、それらを必要な寸法に切断したり加工したりして組み立てなければならず、非常に多くの労力と時間とを必要とする。しかも、防虫網を張設する網戸枠は、４本の枠材を必要な寸法に切断し、ビス止め等の方法で四角形状に固定することにより形成されるため、前記枠材の切断寸法を間違えると調整が利かず、完成した防虫網戸が建物開口部に取り付けられなかったり隙間が生じたりするという事態も考えられる。
また、完成した防虫網戸が建物開口部に取り付けられたとしても、汚れた防虫網を清掃する場合や、破損した防虫網を交換する場合などには、前記防虫網戸全体を建物開口部から取り外してそれらの作業を行わなければならないため、面倒である。
【０００５】
特許文献１−特許文献３には、防虫ネットを網戸枠に面ファスナーで着脱自在に取り付けたものが開示されているが、これは、単に防虫ネットを網戸枠から簡単に取り外せるようにしているだけで、前記網戸枠は、４本の枠材を四角形に固定することによって形成されたものであり、前記問題点を有するものである。
【先行技術文献】
【特許文献】
【０００６】
【特許文献１】実開昭６２−１０１９９８号公報
【特許文献２】特開２００３−７４２７０号公報
【特許文献３】特開２００６−９７２４２号公報
【発明の概要】
【発明が解決しようとする課題】
【０００７】
本発明の目的は、建物開口部に合わせて縦及び横の寸法調整が可能であると共に、該建物開口部に着脱自在に取り付けることができる、合理的設計構造を持った寸法調整可能な防虫網戸を提供することにある。
【課題を解決するための手段】
【０００８】
前記目的を達成するため、本発明の防虫網戸は、防虫網と、該防虫網を張設する矩形の網戸枠と、防虫網が張設された該網戸枠を建物開口部に取り付けるための矩形の取付枠とからなり、前記取付枠は、左右の縦取付枠材及び上下の横取付枠材と、該取付枠のコーナーにおいて前記縦取付枠材と横取付枠材とを連結する４つの取付枠コーナー材とで形成され、該取付枠コーナー材と前記縦取付枠材及び横取付枠材とを相互に伸縮自在とすることにより、該取付枠の縦、横の寸法が前記建物開口部の縦、横の寸法に合わせて調整可能であり、前記網戸枠は、左右の縦網戸枠材及び上下の横網戸枠材と、該網戸枠のコーナーにおいて前記縦網戸枠材と横網戸枠材とを連結する４つの網戸枠コーナー材とで形成され、接着−分離自在の取付部材を介して前記取付枠に対して着脱自在であることを特徴とするものである。
【０００９】
また、本発明によれば、所要の形状及び寸法に切断可能な防虫網、前記防虫網を張設する矩形の網戸枠を形成するための部品であって、所要の長さに切断可能な合成樹脂製の左右の縦網戸枠材及び上下の横網戸枠材と、網戸枠のコーナーにおいて前記縦網戸枠材と横網戸枠材とを連結する４つの網戸枠コーナー材、防虫網が張設された前記網戸枠を建物開口部に取り付けるための矩形の取付枠を形成する部品であって、所要の長さに切断可能な合成樹脂製の左右の縦取付枠材及び上下の横取付枠材と、取付枠のコーナーにおいて前記縦取付枠材と横取付枠材とを伸縮自在に連結する４つの取付枠コーナー材、相互に接着−分離自在の第１部材及び第２部材からなり、該第１部材及び第２部材の一方と他方とを前記網戸枠の縦網戸枠材及び横網戸枠材と前記取付枠の縦取付枠材及び横取付枠材とにそれぞれ装着することにより、前記網戸枠を前記取付枠に対して着脱自在とする取付部材を有することを特徴とする防虫網戸用キットが提供される。
【００１０】
本発明において、前記取付枠の左右の縦取付枠材と上下の横取付枠材とは、長さ方向の少なくとも両端部が中空をなし、また、前記４つの取付枠コーナー材は、前記縦取付枠材及び横取付枠材の端部間に介在する主体部と、該主体部の側面から９０度異なる方向に延出する２つの延出部とを有し、該２つの延出部の一方と他方が前記縦取付枠材及び横取付枠材の一方と他方の中空部内にそれぞれ摺動自在に嵌合していることが望ましい。
特に、前記取付枠の左右の縦取付枠材と上下の横取付枠材とは、全長にわたって均一な断面形状を有する合成樹脂製の中空材により形成され、左右の縦取付枠材同士及び上下の横取付枠材同士が互換性を有し、また、前記４つの取付枠コーナー材は、互いに同一形状をなして相互に互換性を有することが望ましい。
【００１１】
また、本発明において、前記網戸枠の左右の縦網戸枠材と上下の横網戸枠材とは、全長にわたって均一な断面形状を有する合成樹脂製の薄板材により形成され、左右の縦網戸枠材同士及び上下の横網戸枠材同士が互換性を有し、前記４つの網戸枠コーナー材は、防虫網の前面側に位置する第１コーナー部材と後面側に位置する第２コーナー部材とからなっていて、該第１コーナー部材と第２コーナー部材とで前記防虫網を両側から挟持していることが望ましい。
【００１２】
本発明において好ましくは、前記取付部材が面ファスナー又は永久磁石で形成され、相互に接着−分離自在の第１部材及び第２部材を有し、該第１部材及び第２部材のうちの一方が前記網戸枠に装着され、他方が前記取付枠に装着されていることである。
【発明の効果】
【００１３】
本発明の防虫網戸は、取付枠の左右の縦取付枠材及び上下の横取付枠材が４つの取付枠コーナー材に対して摺動自在となっているので、該取付枠の縦、横の寸法を建物開口部の縦、横の寸法に合わせて自在に調整することができ、その結果、規格に合った寸法の建物開口部はもちろんのこと、規格外の寸法の建物開口部であっても、該防虫網戸を確実に取り付けることができる。
また、防虫網を張設するための網戸枠と、該網戸枠を建物開口部に取り付けるための取付枠とを別に形成し、それらを取付部材で着脱自在としたことにより、防虫網の清掃時や交換時等に前記網戸枠だけを建物開口部から簡単に取り外すことができる。
【図面の簡単な説明】
【００１４】
【図１】本発明に係る防虫網戸を建物開口部の内部に取り付けた状態の室内側から見た正面図である。
【図２】本発明に係る防虫網戸を建物開口部の前面に取り付けた状態の室内側から見た正面図である。
【図３】図１及び図２の防虫網戸を前面斜め上方から見た斜視図である。
【図４】図１及び図２の防虫網戸を後面斜め上方から見た斜視図である。
【図５】図３の防虫網戸を網戸枠と取付枠とに分離して示す斜視図である。
【図６】取付枠の分解斜視図である。
【図７】図３のＶＩＩ−ＶＩＩ線に沿った拡大断面図で、網戸枠と取付枠とを分離させて示す図である。
【図８】網戸枠の後面（背面）図である。
【図９】図８のＩＸ−ＩＸ線に沿った拡大断面図である。
【図１０】網戸枠の分解斜視図である。
【図１１】図７と同様の拡大断面図で、取付枠の構成が異なる他の実施形態を示す図である。
【図１２】図７と同様の拡大断面図で、異なる取付部材を使用した更に他の実施形態を示す図である。
【発明を実施するための形態】
【００１５】
図１は、本発明に係る寸法調整可能な防虫網戸１を窓等の建物開口部５０における開口部枠５１の内側に嵌め込んで固定（内付け）した状態を室内側から見た場合の正面図であり、図２は、前記防虫網戸１を開口部枠５１の前面に当接させて固定（前面付け）した状態を室内側から見た場合の正面図である。このように本発明の防虫網戸１は、開口部枠５１の内部又は前面の何れにでも取り付けることができるものであり、その取り付けには、止め螺子や両面接着テープ等が用いられる。
【００１６】
前記開口部枠５１は、左右の縦枠材５１ａと上下の横枠材５１ｂとを四角形に連結することにより形成されている。前記縦枠材５１ａ及び横枠材５１ｂは、木製又はアルミニウムなどの金属製であるが、前記防虫網戸１を螺子で取り付けるときは木製のものが適しており、両面接着テープで取り付けるときは木製であっても金属製であっても構わない。
【００１７】
前記防虫網戸１は、図３−図５に示すように、蚊などの小さな虫が通り抜けできない程度に小さい網目を有する防虫網２と、該防虫網２を張設するための矩形の網戸枠３と、防虫網２が張設された該網戸枠３を建物開口部５０に取り付けるための矩形の取付枠４とからなるもので、該取付枠４を前記開口部枠５１に螺子や両面接着テープ等の固定手段で固定し、該取付枠４に前記網戸枠３を面ファスナー等からなる取付部材５で取り外し可能に取り付けるものである。
【００１８】
前記取付枠４は、図５及び図６からも分かるように、左右の縦取付枠材８及び上下の横取付枠材９と、該取付枠４のコーナーにおいて前記縦取付枠材８と横取付枠材９とを連結する４つの取付枠コーナー材１０とによって形成されている。
【００１９】
前記縦取付枠材８及び横取付枠材９は、断面形状が長方形をなす合成樹脂製の硬質の中空材により形成され、該縦取付枠材８及び横取付枠材９の前記網戸枠３側を向く前面８ａ及び９ａには、凹溝状をして溝底が平らな装着部１１が全長にわたって形成され、該装着部１１内に、前記取付部材５の第１部材５ａが、接着剤や両面接着テープ等により接着されて固定されている。
【００２０】
前記縦取付枠材８及び横取付枠材９の断面形状は全長にわたって均一であり、中空孔８ｂ、９ｂの形も長方形である。従って、前記左右の縦取付枠材８同士及び上下の横取付枠材９同士は相互に互換性を有し、取付枠４の組立時に互いに取り換えて使用することができる。前記縦取付枠材８と横取付枠材９とが全て同一長さである場合には、全ての縦取付枠材８及び横取付枠材９が相互に互換性を有することになる。
【００２１】
前記取付部材５は、面ファスナーで形成されていて、図７から明らかなように、先端が鈎形に折れ曲がった多数の鈎形突子１２を有するテープ状の前記第１部材５ａと、前記鈎形突子１２が係脱する多数の輪奈１３が形成されたテープ状の第２部材５ｂとを有し、該第１部材５ａと第２部材５ｂとが相互に接着−分離自在であり、前記第１部材５ａが前記縦取付枠材８及び横取付枠材９に接着されている。
これに対して前記第２部材５ｂは、前記網戸枠３における左右の縦網戸枠材１４と上下の横網戸枠材１５との後面１４ａ，１５ａに接着、固定されているが、その詳細については後述する。
【００２２】
前記取付枠コーナー材１０は、前記縦取付枠材８及び横取付枠材９の端部間に介在する正方形断面の角柱状をした主体部１８と、該主体部１８の隣り合う側面から９０度異なる方向に延出するＨ字形断面の２つの延出部１９とを有し、該２つの延出部１９の一方が前記縦取付枠材８の中空部８ｂ内に摺動自在に嵌合し、他方が前記横取付枠材９の中空部９ｂ内に摺動自在に嵌合している。これによって前記左右の縦取付枠材８と上下の横取付枠材９とが、前記４つの取付枠コーナー材１０に対して各縦材８及び各横材９の長さ方向に伸縮自在に連結され、取付枠４の縦、横の寸法が建物開口部５０枠の縦、横の寸法に合わせて調整できるようになっている。
【００２３】
前記主体部１８の軸方向長さ（取付枠４の前後方向の長さ）は、前記縦取付枠材８及び横取付枠材９の前面−後面方向の長さとほぼ同じであり、該主体部１８の中心には、止め螺子を挿通するための螺子挿通孔２０が該主体部１８を軸方向に貫通するように設けられ、前記２つの延出部１９の長さは互いに同じに形成されている。そして、前記４つの取付枠コーナー材１０は、互いに同一形状をなして相互に互換性を有し、どのコーナーにも使用することができるようになっている。
【００２４】
前記取付枠４を、図１のように建物開口部５０の木製の開口部枠５１の内部に嵌め込んで止め螺子で固定するときは、図６に示すように、該取付枠４の左右の縦取付枠材８及び上下の横取付枠材９の適宜位置に錐等の工具を使用して予め螺子挿通孔２１を開け、該螺子挿通孔２１に挿通した止め螺子２２を開口部枠５１の左右の縦枠材５１ａ及び上下の横枠材５１ｂの内側面にねじ込んで前記縦取付枠材８及び横取付枠材９を固定する。
【００２５】
また、前記取付枠４を、図２のように開口部枠５１の前面に固定するときは、左右の縦取付枠材８及び上下の横取付枠材９の後面８ｃ，９ｃ（図４参照）にそれぞれ両面接着テープを取り付け、該両面接着テープで前記縦取付枠材８及び横取付枠材９を開口部枠５１の縦枠材５１ａ及び横枠材５１ｂの前面に接着すると共に、該取付枠４の四隅の前記螺子挿通孔２０内に止め螺子（不図示）を挿通し、該止め螺子で前記取付枠４を前記開口部枠５１に固定する。
しかし、図２の場合には、前記取付枠４を前記開口部枠５１に両面接着テープだけで固定するか、あるいは前記止め螺子だけで固定することもできる。特に前記開口部枠５１が金属製である場合には、図１の場合にも図２の場合にも、両面接着テープだけが使用される。
【００２６】
前記図１及び図２の何れの態様で前記取付枠４を開口部枠５１に固定する場合でも、該取付枠４の縦取付枠材８及び横取付枠材９を取付枠コーナー材１０に対して伸縮させることにより、該取付枠４の縦及び横の寸法を開口部枠５１の縦及び横の寸法に合わせて調整することができるため、前記縦取付枠材８及び横取付枠材９を開口部枠５１の縦枠材５１ａ及び横枠材５１ｂにぴったりと当接させて固定することができる。
【００２７】
一方、前記網戸枠３は、図５，図８、図１０からよく分かるように、前記左右の縦網戸枠材１４及び上下の横網戸枠材１５と、該縦網戸枠材１４と横網戸枠材１５との端部同士を連結する４つの網戸枠コーナー材２６Ａ，２６Ｂとを、前記防虫網２と一緒に接着剤で接着、固定することにより形成されている。
【００２８】
前記左右の縦網戸枠材１４と上下の横網戸枠材１５とは、全長にわたって均一な断面形状を有する合成樹脂製の薄板材により細長い帯板状に形成され、柔軟で可撓性を有している。該縦網戸枠材１４及び横網戸枠材１５の幅は、前記取付枠４の縦取付枠材８の前面８ａ及び横取付枠材９の前面９ａの幅と同じで、互いに同一幅である。
【００２９】
また、前記薄板材の断面形状は、図７に横網戸枠材１５について示すように、Ｌ字形をしていて、幅方向の一端に該縦網戸枠材１４及び横網戸枠材１５の後面側に向けて突出する突縁２３を有している。そして、前記縦網戸枠材１４及び横網戸枠材１５の平らな後面１４ａ，１５ａには、前記防虫網２の端部が接着により固定されると共に、前記取付部材５の第２部材５ｂが該防虫網２の上から接着により固定されている。この場合、前記防虫網２と第２部材５ｂとを別々に接着することなく、該第２部材５ｂを前記縦網戸枠材１４及び横網戸枠材１５に接着する際に、それらの間に前記防虫網２を介在させておくことにより、前記第２部材５ｂを縦網戸枠材１４及び横網戸枠材１５に接着するのと同時に該防虫網２も接着することができる。
【００３０】
前記縦網戸枠材１４と横網戸枠材１５とは、互いに同じ断面形状を有する同一形態の部材であるため、全てが同一長さである場合には相互に互換性を有し、網戸枠３の組立時に互いに取り換えて使用することができる。しかし、図示したように縦網戸枠材１４と横網戸枠材１５との長さが異なる場合には、左右の縦網戸枠材１４同士及び上下の横網戸枠材１５同士が相互に互換性を有し、左右の縦網戸枠材１４同士は、上下反転させることにより互いに取り換えて使用することができ、上下の横網戸枠材１５同士は、左右反転させることにより互いに取り換えて使用することができる。
【００３１】
前記網戸枠３の４つの網戸枠コーナー材２６Ａ，２６Ｂは、硬質の合成樹脂で形成されたもので、該網戸枠３の上端部左右に位置する２つの上部コーナー材２６Ａと、該網戸枠３の下端部左右に位置する２つの下部コーナー材２６Ｂとに分類される。
【００３２】
前記上部コーナー材２６Ａは、図１０から分かるように、防虫網２の前面側に位置する第１コーナー部材２６ａと後面側に位置する第２コーナー部材２６ｂとからなっていて、これら第１コーナー部材２６ａと第２コーナー部材２６ｂとの間に該防虫網２の隅角部が挟持されている。
【００３３】
前記第１コーナー部材２６ａは、直角に連なる薄板状の縦片部２７及び横片部２８と、該縦片部２７及び横片部２８に直線状の２つの短辺２９ａが連なる三角形か又は三角形に類似した形をなす薄板状の張出部２９とで形成され、該張出部２９の長辺２９ｂは内側にやや湾曲した形をなしている。前記縦片部２７及び横片部２８の幅は、前記縦網戸枠材１４及び横網戸枠材１５の幅とほぼ等しく、また、該縦片部２７と横片部２８の長さは互いに等しい。
【００３４】
前記第１コーナー部材２６ａの防虫網２側を向く後面には、前記縦片部２７と横片部２８とが連なる角部の位置と、前記張出部２９の２つの短辺２９ａに近い位置とに、全部で３つの小突起３０（図９参照）がそれぞれ形成されている。そして、該第１コーナー部材２６ａは、前記縦片部２７が前記縦網戸枠材１４に重なり、前記横片部２８が前記横網戸枠材１５に重なり、前記張出部２９が前記防虫網２の隅角部前面に重なるように配設されている。
【００３５】
前記第２コーナー部材２６ｂは、正面視形状が正方形の薄いブロック状をした基体部３３と、三角形か又は三角形に類似した形をなす薄板状の張出部３４とからなっていて、該張出部３４は、直線状の２つの短辺３４ａが交わる頂点の位置で前記基体部３３の１つの角部に連なっている。該張出部３４は、前記第１コーナー部材２６ａの張出部２９と実質的に同じ形状及び大きさを有するものである。
また、前記基体部３３の中心部と、前記張出部３４の前記２つの短辺３４ａに近い位置とには、前記第１コーナー部材２６ａの小突起３０が嵌合する小孔３５がそれぞれ形成されている。
【００３６】
そして、前記第２コーナー部材２６ｂは、前記防虫網２の後面側に前記第１コーナー部材２６ａと対向して配設されることにより、前記基体部３３が前記縦網戸枠材１４と横網戸枠材１５との端部に隣接する網戸枠角部の位置を占め、前記張出部２９が前記第１コーナー部材２６ａの張出部２９と重なり合う位置を占め、前記小孔３５内に前記第１コーナー部材２６ａの小突起３０が嵌合し（図９参照）、その状態で該第２コーナー部材２６ｂと前記第１コーナー部材２６ａとが、前記防虫網２を介して接着剤により相互に接着、固定されている。
前記左右２つの上部コーナー材２６Ａは、互いに同じ構成を有しているため相互に互換性があり、左右いずれの側にも使用することができる。
【００３７】
一方、網戸枠３の下端部に位置する前記下部コーナー材２６Ｂは、該網戸枠３を取付枠４から取り外す際に指を掛けるための取っ手３６を有するもので、この点が前記上部コーナー材２６Ａと相違するだけで、それ以外は実質的に前記上部コーナー材２６Ａと同じ構成である。そこで、該上部コーナー材２６Ａと同じ主要構成部分に該上部コーナー材２６Ａと同じ符号を付してその説明は省略し、前記取っ手３６に関連する構成について以下に説明する。
【００３８】
前記取っ手３６は、防虫網２の前面側に位置する第１コーナー部材２６ａに形成されている。このため該第１コーナー部材２６ａの縦片部２７及び横片部２８には、網戸枠３の前面側に向けて延出する張出壁３７と、該張出壁３７の端部から前記縦片部２７及び横片部２８と平行に延出する手掛壁３８とが一体に形成され、該張出壁３７と手掛壁３８とによって前記取っ手３６が形成されている。
【００３９】
また、左右２つの下部コーナー材２６Ｂは、互いに同じ構成を有しているため相互に互換性があり、左右いずれの側にも使用することができる。前記取っ手３６をなくして下部コーナー材２６Ｂを上部コーナー材２６Ａと同一構成にした場合は、上下４つのコーナー材に互換性を持たせることができる。
【００４０】
そして前記網戸枠３は、建物開口部５０に固定された前記取付枠４に対し、取付部材５の第１部材５ａと第２部材５ｂとを互いに接着させることにより、図２及び図３に示すような態様で分離自在に取り付けられる。
【００４１】
防虫網２の清掃や交換等のため前記網戸枠３を取付枠４から取り外す時は、前記取っ手３６を手前に引っ張って該網戸枠３の下端両角部の部分を取付枠４から引き離したあと、縦網戸枠材１４及び横網戸枠材１５を撓ませつつ該網戸枠３の他の部分を順次引き離すことにより、該網戸枠３全体を前記取付枠４から取り外すことができる。
防虫網２の清掃や交換等が終わった網戸枠３は、再び前記取付枠４に前記取付部材５で取り付けられる。
【００４２】
ここで、前記防虫網戸１は、図３−図５に示すように建物開口部５０の寸法に合った完成品の形で使用者に提供（販売）することもできるが、図６及び図１０に示すように、前記防虫網２、網戸枠３、取付枠４、及び取付部材５等を、それらを形成する前記各部品を一組のキットとして使用者に提供し、それを使用者あるいは提供者が現場で建物開口部５０に合った寸法に加工して組み立て、それを該建物開口部５０に取り付けるようにすることもできる。この場合、キットの中に、両面接着テープや接着剤等が必要に応じて組み入れられる。
【００４３】
防虫網戸をキットとして提供する場合、前記防虫網２は、その縦寸法及び横寸法が建物開口部５０の縦寸法Ｘ及び横寸法Ｙより大きい状態のまま提供され、前記網戸枠３及び取付枠４の各縦材８，１４及び各横材９，１５も、開口部枠５１の縦枠材５１ａ及び横枠材５１ｂより長さが長い状態で提供される。そして、前記防虫網２及び各縦材８，１４及び各横材９，１５が開口部枠５１の縦寸法Ｘ及び横寸法Ｙに合わせて切断され、組み立てられる。その手順について以下に簡単に説明する。
【００４４】
図１に示すように防虫網戸１を開口部枠５１内に嵌め込んだ状態に取り付ける場合は、先ず、前記取付枠４の縦取付枠材８及び横取付枠材９と、網戸枠３の縦網戸枠材１４及び横網戸枠材１５とを、開口部枠５１の縦及び横の寸法（内側寸法）Ｘ，Ｙに合わせて切断する。この場合、縦取付枠材８及び縦網戸枠材１４は、開口部枠５１の縦寸法Ｘから上下の横取付枠材９又は横網戸枠材１５の幅ｘを差し引いた長さ（Ｘ−２ｘ）に切断し、横取付枠材９及び横網戸枠材１５は、開口部の横寸法Ｙから左右の縦取付枠材８又は縦網戸枠材１４の幅ｙを差し引いた長さ（Ｙ−２ｙ）に切断する。なお、前記幅ｘと幅ｙとは等しい。前記各枠材８，９及び１４，１５の切断は、一般家庭にあるカッターナイフや鋸等で行うことができる。
そして、前記縦取付枠材８及び横取付枠材９の装着部１１に取付部材５の第１部材５ａを接着、固定すると共に、螺子挿通孔２１を開けたあと、４つの取付枠コーナー材１０で図５のように組み立てる。
【００４５】
次に、前記取付枠４を、第１部材５ａが接着された面を上にして床に置き、縦取付枠材８及び横取付枠材９の第１部材５ａに第２部材５ｂを付着させた状態にしたあと、該取付枠４上に前記防虫網２を広げて載せ、更に左右の縦網戸枠材１４及び上下の横網戸枠材１５を該防虫網２の上から前記第２部材５ｂ上に重ねて載置し、該縦網戸枠材１４及び横網戸枠材１５と前記第２部材５ｂとを防虫網２を介して接着剤で相互に接着して固定すると共に、４つの網戸枠コーナー材２６Ａ，２６Ｂの第１コーナー部材２６ａを前記縦網戸枠材１４及び横網戸枠材１５に接着して固定する。
【００４６】
続いて、前記防虫網２と縦網戸枠材１４及び横網戸枠材１５と第１コーナー部材２６ａと第２部材５ｂとが一体に接着されたものを、前記取付枠４から取り外し、前記防虫網２を網戸枠３の大きさに合わせてカッターナイフや鋏等で切断すると共に、前記網戸枠コーナー材２６Ａ，２６Ｂの第２コーナー部材２６ｂを前記第１コーナー部材２６ａに重ねて接着、固定し、これによって前記網戸枠３が完成する。
そして、前記取付枠４を建物開口部５０の開口部枠５１に前述したようにして取り付けたあと、該取付枠４に前記網戸枠３を取り付けることにより、建物開口部５０への防虫網戸１の取り付けが完了する。
【００４７】
なお、図２のように防虫網戸１を開口部枠５１の前面に取り付ける場合は、取付枠４の縦取付枠材８及び横取付枠材９と網戸枠３の縦網戸枠材１４及び横網戸枠材１５とを、開口部枠５１の内側寸法に等しい長さに切断すれば良く、それ以外の手順は前記図１の場合と同じである。
【００４８】
前記実施形態では、図７に示すように、取付枠４の縦取付枠材８及び横取付枠材９の装着部１１が、深さ全体に渡って溝幅が一定の凹溝状に形成されているが、図１１に示すように、装着部１１を、溝の口縁に一対の張出縁１１ａを溝内側に向けて突出させることによって該口縁の溝幅を狭くした凹溝状に形成することもでき、この場合には、該装着部１１に接着した取付部材５の第１部材５ａが一部剥離した場合でも、該第１部材５ａが前記張出縁１１ａに溝の内側から係止して外部に抜け出さないようにすることができる。
なお、前記実施形態においては、前記取付部材５の第１部材５ａが取付枠４の縦取付枠材８及び横取付枠材９に取り付けられ、第２部材５ｂが網戸枠３の縦網戸枠材１４及び横網戸枠材１５に取り付けられているが、それらの配置は逆であっても良い。
【００４９】
あるいは、前記取付部材５として、前述した面ファスナーの代わりに永久磁石を使用することもできる。この永久磁石としては、プラス極とマイナス極とを厚さ方向に着磁した帯状のベルトマグネットが好適に使用される。そして、図１２に示すように、取付枠４の縦取付枠材８及び横取付枠材９の装着部３９に、プラス極又はマイナス極を網戸枠３の縦網戸枠材１４及び横網戸枠材１５側に向けたベルトマグネットが第１部材５ａとして装着され、前記網戸枠３の縦網戸枠材１４及び横網戸枠材１５の装着部４０に、マイナス極又はプラス極を前記取付枠４の縦取付枠材８及び横取付枠材９側に向けたベルトマグネットが第２部材５ｂとして装着される。
【００５０】
前記装着部３９，４０は中空状に形成されていて、各縦材８，１４及び横材９，１５の端部から前記第１部材５ａ及び第２部材５ｂを挿入するようになっているが、該装着部３９，４０は、図７及び図１１の縦取付枠材８及び横取付枠材９の装着部１１のように、一定溝幅の凹溝状に形成するかあるいは溝の口縁に張出縁１１ａを有する凹溝状に形成し、前記ベルトマグネットを接着により固定することもできる。
【００５１】
また、前記実施形態においては、縦取付枠材８及び横取付枠材９が全体として中空状に形成されているが、必ずしも全体が中空である必要はなく、少なくとも長さ方向の両端が中空状に形成されていて、前記取付枠コーナー材１０の延出部１９が嵌合できるようになっていれば良い。
【符号の説明】
【００５２】
１      防虫網戸
２      防虫網
３      網戸枠
４      取付枠
５      取付部材
５ａ      第１部材
５ｂ      第２部材
８      縦取付枠材
９      横取付枠材
１０      取付枠コーナー材
１４      縦網戸枠材
１５      横網戸枠材
１８      主体部
１９      延出部
２６Ａ，２６Ｂ      網戸枠コーナー材
２６ａ      第１コーナー部材
２６ｂ      第２コーナー部材
５０      建物開口部
５１      開口部枠
【図１】
2012162964.tif 000003
【図２】
2012162964.tif 000004
【図３】
2012162964.tif 000005
【図４】
2012162964.tif 000006
【図５】
2012162964.tif 000007
【図６】
2012162964.tif 000008
【図７】
2012162964.tif 000009
【図８】
2012162964.tif 000010
【図９】
2012162964.tif 000011
【図１０】
2012162964.tif 000012
【図１１】
2012162964.tif 000013
【図１２】
2012162964.tif 000014